(57)【特許請求の範囲】
【請求項１】
軒先等に固定される取付杆と、前記取付杆に連結され、且つ、雨樋の耳部を掛止する樋耳掛止部を備えた樋支持具本体と、これら取付杆と樋支持具本体とを連結する連結軸と、より成る雨樋支持具において、
前記取付杆又は樋支持具本体の一方には、雨樋の長手方向であって、且つ、水平方向に向けて貫通する連結孔が形成されると共に、他方に向けて係止部が突設され、他方には、前記連結孔に重合されると共に、前記係止部が係止される係止孔兼用連結長孔が形成され、これら連結孔及び係止孔兼用連結長孔に前記連結軸を貫通して連結されている雨樋支持具。
【請求項２】
軒先等に固定される取付杆と、前記取付杆に連結され、且つ、雨樋の耳部を掛止する樋耳掛止部を備えた樋支持具本体と、これら取付杆と樋支持具本体とを連結する連結軸と、より成る雨樋支持具において、
前記取付杆又は樋支持具本体の一方には、雨樋の長手方向であって、且つ、水平方向に向けて貫通する連結孔が形成されると共に、他方に向けて係止部が突設され、他方には、前記連結孔に重合される連結孔が形成されると共に、前記係止部が係止される係止孔部が形成され、これら両方の連結孔に前記連結軸を貫通して連結されている雨樋支持具。
【請求項３】
請求項１又は２において、
前記取付杆には、前記樋支持具本体の二面以上を包囲する囲い部を形成している雨樋支持具。
【発明の詳細な説明】
【０００１】
【発明の属する技術分野】
本発明は、軒先等に取付ける雨樋支持具に関し、詳しくは、軒先等に固定される取付杆と、これに連結される樋支持具本体と、これらを連結軸で連結した構造の雨樋支持具に関する。
【０００２】
【従来の技術】
図５、図６は、従来の雨樋支持具を示す組立斜視図である。
【０００３】
図５で示す雨樋支持具１００は、軒先等に固定される取付杆１０１と、この取付杆１０１に連結され、且つ、雨樋Ｔの耳部を掛止する樋耳掛止部１１２を少なくとも一端に備えた樋支持具本体１０２と、これら取付杆１０１と樋支持具本体１０２とを連結する連結軸１０３とより成る。
【０００４】
この取付杆１０１には、長孔１１１が形成されると共に、これに重合するネジ孔１２２を、樋支持具本体１０２の一端側に開設している。
【０００５】
そして、この長孔１１１から蝶ネジなどの連結軸１０３を貫通して、樋支持具本体１０２のネジ孔１２２に螺合し、樋支持具本体１０２の上下調節を行ったうえで、連結軸１０３を締め付け、取付杆１０１と樋支持具本体１０２とを固着している。
【０００６】
なお、取付杆１０１の長孔１１１に代えて単なる孔を開設したものもあるが（不図示）、その場合には樋支持具本体１０２の上下調節はできない。
【０００７】
また、図６で示す雨樋支持具１００は、図５と同じ構成部材から成るが、その樋支持具本体１０２は、雨樋Ｔの前耳を掛止する樋耳係止部１１２を構成する樋・前耳掛止部及び雨樋Ｔの後耳を掛止する樋・後耳掛止部１１３を必ず備えた吊り式のものを示している点で相違している。
【０００８】
この雨樋支持具１００では、取付杆１０１の前方にネジ孔１２２を形成すると共に、これに重合する長孔１１１を、樋支持具本体１０２に開設し、これらを連結軸１０３で図５と同様に固着している。
【０００９】
そして、何れの雨樋支持具１００でも、この固着された樋支持具本体１０２に、雨樋Ｔの耳部を掛止して、これを取付けるものである。
【００１０】
【発明が解決しようとする課題】
このように従来の雨樋支持具１００には、取付杆１０１と樋支持具本体１０２とを連結するためにネジ孔１２２及び長孔１１１が形成されている。
【００１１】
しかし、これらの連結用の孔は、何れの場合でも取付けられる雨樋Ｔに対して、雨樋Ｔの幅方向（樋支持具本体の長手方向）或いは上下方向に開設されている。
【００１２】
そのため、このような方向に孔が開設された取付杆１０１や樋支持具本体１０２の製造に際しては、例えばプレス加工のような製造方法を採る場合には、複雑な加工を伴う困難なものであるため、製造上、多大な時間とコストを要する問題があった。
【００１３】
また、取付けされた雨樋Ｔには、風雨等による各種荷重がかかるため、この雨樋Ｔを支持している樋支持具本体１０２が、取付杆１０１に対して振れ（或いは廻り）を生じ易いという問題もあった。
【００１４】
本発明は、かかる課題を解決することを目的とするもので、樋支持具本体の振れを防止でき、しかも簡単に製造できる新規な構造の雨樋支持具を提供する。
【００１５】
【課題を解決するための手段】
上記目的を達成するため、請求項１に係る雨樋支持具は、軒先等に固定される取付杆と、前記取付杆に連結され、且つ、雨樋の耳部を掛止する樋耳掛止部を備えた樋支持具本体と、これら取付杆と樋支持具本体とを連結する連結軸と、より成る雨樋支持具において、前記取付杆又は樋支持具本体の一方には、雨樋の長手方向であって、且つ、水平方向に向けて貫通する連結孔が形成されると共に、他方に向けて係止部が突設され、他方には、前記連結孔に重合されると共に、前記係止部が係止される係止孔兼用連結長孔が形成され、これら連結孔及び係止孔兼用連結長孔に前記連結軸を貫通して連結されている。
【００１６】
請求項２に係る雨樋支持具は、軒先等に固定される取付杆と、前記取付杆に連結され、且つ、雨樋の耳部を掛止する樋耳掛止部を備えた樋支持具本体と、これら取付杆と樋支持具本体とを連結する連結軸と、より成る雨樋支持具において、前記取付杆又は樋支持具本体の一方には、雨樋の長手方向であって、且つ、水平方向に向けて貫通する連結孔が形成されると共に、他方に向けて係止部が突設され、他方には、前記連結孔に重合される連結孔が形成されると共に、前記係止部が係止される係止孔部が形成され、これら両方の連結孔に前記連結軸を貫通して連結されている。
【００１７】
請求項１または２では、取付杆及び樋支持具本体に開設される連結孔等を、雨樋の長手方向であって、且つ、水平方向に向けて貫通するように形成しているため、従来の複雑且つ困難な加工を不要とし、簡単且つ短時間に製造でき、大幅なコストダウンを図ることができる。また、取付杆と樋支持具本体は、連結軸によって連結されると共に、一方に突設された係止部と、他方に形成された係止孔兼用連結長孔（請求項１）または係止孔部（請求項２）とが係止して連結されているので、連結後における取付杆と樋支持具本体の廻り（或いは振れ）を確実に防止できる。また、請求項１では、一方の連結孔と係止孔部を共通する係止孔兼用連結長孔で形成しているので、樋支持具本体をスライドすることができ、その構造をより簡易にできる。
【００１８】
請求項３に係る雨樋支持具は、請求項１又は２において、前記取付杆には、前記樋支持具本体の二面以上を包囲する囲い部を形成している。
【００１９】
請求項３では、囲い部を形成しているので、連結後における取付杆と樋支持具本体の廻り（或いは振れ）をより確実に防止できる。
【００２０】
（欠番）
【００２１】
（欠番）
【００２２】
（削除）
【００２３】
（削除）
【００２４】
（削除）
【００２５】
【発明の実施の形態】
以下、本発明に係る雨樋支持具を図面に基づき説明する。
【００２６】
図１は、本発明に係る雨樋支持具の分解斜視図、図２は、その組立斜視図である。
【００２７】
この雨樋支持具Ａは、軒先等に固定される取付杆１と、取付杆１に連結され、且つ、雨樋Ｔの耳部を掛止する樋耳掛止部２１を備えた樋支持具本体２と、これら取付杆１と樋支持具本体２とを連結する連結軸３とより成る。
【００２８】
取付杆１は、全体が板状に形成されており、その前方に段落ち形成した連結片部１１を形成すると共に、基端を直交する方向に捩り加工して、取付板１２と固着している。
【００２９】
そして、連結片部１１には、図２で示された雨樋Ｔの長手方向であって、且つ、水平方向に向けて貫通する連結孔１３を形成している。
【００３０】
また、取付杆１の連結片部１１の前端には、樋支持具本体２に向けて突設する係止部１４を形成している。
【００３１】
本実施例の係止部１４は、連結片部１１の前端を折り曲げ加工して形成されたものを例示しているが、例えば、連結片部１１の内面側に樋支持具本体２に向けて凸条のリブなどを突設させたものであっても構わず、本実施例に限定されるものではない。
【００３２】
樋支持具本体２は、全体が板状に形成されており、その前後には、雨樋Ｔの前耳を掛止する樋・前耳掛止部２１ａ及び雨樋Ｔの後耳を掛止する樋・後耳掛止部２１ｂを備えた吊り式の樋支持具本体２に形成されている。
【００３３】
この樋支持具本体２の基板２３には、取付杆１の連結孔１３に重合される他の連結孔２４が形成され、この連結孔２４も雨樋Ｔの長手方向であって、且つ、水平方向に向けて貫通するように開設されている。
【００３４】
また、樋支持具本体２の基板２３には、取付杆１の係止部１４を係止する係止孔部２５を形成している。
【００３５】
すなわち、取付杆１と樋支持具本体２とは、両連結孔１３、２４に連結軸３を貫通することで連結されると共に、取付杆１の係止部１４と樋支持具本体２の係止孔部２５とが係止されることで、樋支持具本体２の振れ（或いは廻り）を防止できる。
【００３６】
但し、本実施例では、樋支持具本体２に形成された連結孔２４と、係止孔部２５とを共通の係止孔兼用連結長孔で形成されたものを示しており、このような共通の係止孔兼用連結長孔に形成すれば、樋支持具本体２を取付杆１に対して前、後にスライド調節することができ、しかもその構造をより簡易にできる。
【００３７】
また、上記係止孔兼用連結長孔を上下方向に形成することも可能であり（不図示）、このものでは、樋支持具本体２を取付杆１に対して上、下にスライド調節することができ、雨樋Ｔの高さを調節することができる点で好ましい。
【００３８】
なお、取付杆１の連結孔１３と樋支持具本体２の連結孔２４、係止孔部２５とを逆に形成しても同様である。
【００３９】
このように形成された取付杆１の連結孔１３の側方から、リベット（不図示）などの連結軸３を挿通するか、或いは、図１で示すように、ボルトなどの連結軸３の軸部を挿通させて、さらに樋支持具本体２の連結孔２４を貫通させ、その先端を蝶ナット３１などで螺合して、これらを相互に連結すれば、図２で示すように簡単に組立てできる。
【００４０】
このように、本発明の雨樋支持具Ａは、取付杆１又は樋支持具本体２の何れにも、雨樋Ｔの長手方向であって、且つ、水平方向に向けて貫通する連結孔１３、２４が形成されており、これらを連結軸３で連結した構造に第１の特徴がある。
【００４１】
このような構造による雨樋支持具Ａでは、従来の様々な製造手段における複雑且つ困難とされていた加工を、簡単に行うことができる。
【００４２】
例えば、押出成形（引抜成形も含む）の場合では、製造上、押出（引抜）方向には穴や空洞は作れるが、その垂直方向に穴や空洞をあけることは、追加工を必要とするうえに非常に複雑且つ困難であった。
【００４３】
しかしながら、本発明の雨樋支持具Ａのような構造であれば、押出（引抜）方向にのみ連結孔１３、２４が開設された構造であるので、長尺の取付杆１や樋支持具本体２を成形し、これを所望の厚みで切断すれば、図１で示した取付杆１や樋支持具本体２を追加工をすることなく簡単且つ短時間で大量に製造できる。
【００４４】
また、プレス加工の場合では、取付杆１と樋支持具本体２とを縦方向のカシメ止めなどで連結させるために、フラットバーを横向きにして雨樋Ｔの形状に合わせる折り曲げ加工が必要とされ、プレス工程が増えたり、複雑な金型を要していた。
【００４５】
しかしながら、本発明の雨樋支持具Ａのような構造であれば、プレス方向にのみ連結孔１３、２４が開設された構造であるので、プレス加工の場合でも、ブランキング（型抜き）のみのプレス加工で足り、これを簡単且つ短時間に大量に製造できる。
【００４６】
さらに、樹脂成形品などで利用される射出成形の場合では、樋支持具本体２などの形状が水平方向に左右対称であるので、横方向に金型が割れる構造であり、しかも上下方向に連結用穴を開設しなければならないので、この連結用穴を追加工するか、或いは金型を上下にも割れる構造にする複雑且つ困難なものであった。
【００４７】
しかしながら、本発明の雨樋支持具Ａのような構造であれば、横方向にのみ連結孔１３、２４が開設された構造であるので、追加工や複雑な金型の構造を不要とし、これを簡単に製造できる。
【００４８】
そして、これらのように簡単に製造された取付杆１と樋支持具本体２とを、上記の要領で連結軸３で連結すれば、短時間で雨樋支持具Ａを量産でき、大幅なコストダウンを図ることができる。
【００４９】
また、本発明の雨樋支持具Ａは、取付杆１と樋支持具本体２とを連結軸３で連結すると共に、その一方に形成された係止部１４が、他方に形成された係止孔部２５と係止される構造に第２の特徴がある。
【００５０】
このような構造による雨樋支持具Ａでは、雨樋Ｔが取付けられた樋支持具本体２に風雨等による各種荷重がかかっても、この雨樋Ｔを支持している樋支持具本体２が、取付杆１に対して係止されているので、その振れ（或いは廻り）を確実に防止できる。
【００５１】
図３は、本発明に係る雨樋支持具の他の例を示す組立斜視図、図４（ａ）（ｂ）は、本発明に係る雨樋支持具の更に他の例を示す要部の部分斜視図である。
【００５２】
なお、図１、図２と共通する部材については、共通の符号を付し、その説明は省略する。
【００５３】
これらの雨樋支持具Ａは、何れも取付杆１に樋支持具本体２の二面以上を包囲する囲い部１５を形成している。
【００５４】
図３は、図２で示された取付杆１の連結片部１１の上下端に、樋支持具本体２の上下面を包囲する囲い部１５を形成したものを示している。
【００５５】
図４（ａ）（ｂ）は、樋支持具本体２の両側面を包囲するように、先端両側に囲い部１５が形成された取付杆１を示している。
【００５６】
このような囲い部１５を形成した雨樋支持具Ａによれば、上記同様、取付杆１及び樋支持具本体２に開設される連結孔１３、２４を、雨樋Ｔの長手方向であって、且つ、水平方向に向けて貫通するように形成することができる。
【００５７】
また、取付杆１の係止部１４と樋支持具本体２の係止孔部２５とは係止され、しかも、取付杆１の囲い部１５が樋支持具本体２を包囲して連結されているので、その振れ（或いは廻り）をより確実に防止できる。
【００５８】
もっとも、図３、図４で示された取付杆１の係止部１４と、樋支持具本体２の係止孔部２５との係合を無くして、囲い部１５だけで樋支持具本体２の振れ（或いは廻り）を防止させることも可能である。
【００５９】
【発明の効果】
本発明によれば、次のような効果がある。
【００６０】
請求項１、２に係る雨樋支持具によれば、取付杆及び樋支持具本体に開設される連結孔を、雨樋の長手方向であって、且つ、水平方向に向けて貫通するように形成しているため、従来の複雑且つ困難な製造を不要とし、簡単且つ短時間に製造でき、大幅なコストダウンを図ることができる。特に、請求項１に係る雨樋支持具によれば、一方の連結孔と係止孔部を共通する係止孔兼用連結長孔で形成しているので、樋支持具本体をスライドすることができ、その構造をより簡易にできる。
【００６１】
また、取付杆と樋支持具本体は、連結軸によって連結されると共に、一方に突設された係止部と、他方に形成された係止孔部とが係止して連結されているので、連結後における取付杆と樋支持具本体の廻り（或いは振れ）を確実に防止できる。
【００６２】
請求項３に係る雨樋支持具によれば、囲い部を形成しているので、連結後における取付杆と樋支持具本体の廻り（或いは振れ）をより確実に防止できる。
【００６３】
（欠番）
【００６４】
（削除）
【００６５】
（削除）
【図面の簡単な説明】
【図 １】本発明に係る雨樋支持具の分解斜視図
【図 ２】本発明に係る雨樋支持具の組立斜視図
【図 ３】本発明に係る雨樋支持具の他の例を示す組立斜視図
【図 ４】（ａ）（ｂ）は、本発明に係る雨樋支持具の更に他の例を示す要部の部分斜視図
【図 ５】従来の雨樋支持具（支持式）を示す組立斜視図
【図 ６】従来の雨樋支持具（吊下げ式）を示す組立斜視図
【符号の説明】
Ａ      雨樋支持具
Ｔ      雨樋
１      取付杆
１３    連結孔
１４    係止部
１５    囲い部
２      樋支持具本体
２１    樋耳掛止部
２４    連結孔（図１〜図４（ａ）の例では係止孔兼用連結長孔）
２５    係止孔部（図１〜図４（ａ）の例では係止孔兼用連結長孔）
３      連結軸
【図１】
0004729196.tif 000002
【図２】
0004729196.tif 000003
【図３】
0004729196.tif 000004
【図４】
0004729196.tif 000005
【図５】
0004729196.tif 000006
【図６】
0004729196.tif 000007